(57)【特許請求の範囲】
【請求項１】
瞬時停電発生時には瞬時停電検知部からの瞬時停電発生信号に基づき制御用マイコンはファンモータ、風向羽根、パワーリレー、表示装置等の各種アクチュエータを停止させるとともに、ＤＣ−ＤＣコンバータに、出力電圧低下信号を送り、ＤＣ−ＤＣコンバータの出力電圧を前記制御用マイコンの駆動に必要な電圧まで低下させることを特徴とする空気調和機の制御装置。
【請求項２】
瞬時停電中は、前記の各種アクチュエータの駆動用電源回路を遮断することにより、前記アクチュエータへの電源の供給を断つことを特徴とする請求項１記載の空気調和機の制御装置。
【請求項３】
瞬時停電中は、前記制御用マイコンの駆動用電源、瞬時停電検知部電源以外の電源を遮断することを特徴とする請求項１記載の空気調和機の制御装置。
【請求項４】
瞬時停電発生中、および、瞬時停電復帰後、一定時間は前記の各種アクチュエータを停止させ、前記瞬時停電中は、表示部に瞬時停電中で停止していることを表示することを特徴とする請求項１記載の空気調和機の制御装置。
【発明の詳細な説明】
【０００１】
【発明の属する技術分野】
本発明は、空気調和機の制御装置に関するものである。
【０００２】
【従来の技術】
従来、空気調和機において、瞬時停電が発生した場合、ファンモータ、風向羽根、パワーリレー、表示装置などの各種アクチュエータを停止させ、瞬時停電復帰後、一定時間経過してから再起動させるようになっていた。
【０００３】
【発明が解決しようとする課題】
しかしながら、上記従来の空気調和機の構成では、瞬時停電が発生した時に各種アクチュエータを停止させただけでは、各種アクチュエータの漏れ電流や駆動回路に流れる電流により、短時間の瞬時停電においてもＤＣ−ＤＣコンバータの出力電圧が制御用マイコンの駆動に必要な電圧よりも低下し、再起動が出来ないという問題や、瞬時停電復帰後、一定時間各種アクチュエータを停止させるため、ユーザにとっては、なぜ停止しているかがわからないという問題があった。
【０００４】
本発明はこのような従来の課題を解決するものであり、比較的長時間の瞬時停電が発生した場合においても、リセットがかからず、再起動が可能であり、再起動までの停止中にユーザに瞬時停電による停止であることを報知することを目的とする。
【０００５】
【課題を解決するための手段】
本発明は上記課題を解決し目的を達成するために、瞬時停電発生時に、ＤＣ−ＤＣコンバータの出力電圧を前記制御用マイコンの駆動に必要な電圧まで低下させたり、各種アクチュエータを電源回路から遮断することで、瞬時停電中に流れる電流が抑えられ、ＤＣ−ＤＣコンバータの出力電圧の低下に時間がかかり、瞬時停電時間が長くても、再起動が可能となるようにする。また、瞬時停電により停止していることをユーザに認識してもらうために、表示部にて表示を行うものである。
【０００６】
【発明の実施の形態】
請求項１記載の発明は、空気調和機の制御装置が瞬時停電を検知した場合にはファンモータ、風向羽根、パワーリレー、表示部などの各種アクチュエータを制御用マイコンからの信号により停止させるとともに、ＤＣ−ＤＣコンバータに、出力電圧低下信号を送り、ＤＣ−ＤＣコンバータの出力電圧を前記制御用マイコンの駆動に必要な電圧まで低下させるものである。
【０００７】
そして、この構成によれば、瞬時停電中のＤＣ−ＤＣコンバータの消費電力が減少し、ＤＣ−ＤＣコンバータの出力電圧がマイコン駆動に必要な電圧よりも低下する時間を長くできる。
【０００８】
請求項２記載の発明は、前記空気調和機の制御装置が瞬時停電中は、前記の各種アクチュエ一夕の駆動用電源回路を遮断することにより、前記の各種アクチュエータへの電源の供給を断つというものであり、瞬時停電中に各種アクチュエータへは電流が流れないために、ＤＣ−ＤＣコンバータの出力電圧が制御用マイコンの駆動に必要な電圧よりも低下する時間を長くできる。
【０００９】
請求項３記載の発明は、前記空気調和機の制御装置が瞬時停電中は、制御用マイコンの駆動用電源、瞬時停電検出部電源以外の電源を遮断するというものであり、瞬時停電中に電源から流れる電流を減少させることにより、ＤＣ−ＤＣコンバータの出力電圧が制御用マイコンの駆動に必要な電圧よりも低下する時間を長く出来る。
【００１０】
請求項４記載の発明は、前記空気調和機の制御装置が瞬時停電発生中、および、瞬時停電復帰後、一定時間は前記アクチュエータを停止させ、前記瞬時停電中は、表示部に瞬時停電中で停止していることを表示するものであり、ユーザに各種アクチュエータが停止している理由を知らせることが出来る。
【００１１】
以下本発明の各実施の形態について図面を参照して説明する。
【００１２】
（実施の形態１）
図１は本発明の実施の形態１におけるの空気調和機の制御装置の構成を示すブロック図であり、室内機に搭載される。
【００１３】
図１において、１は瞬時停電検知部で瞬時停電発生信号Ｓ１を出力する。２は制御用マイコンで瞬時停電発生信号Ｓ１に基づき出力電圧低下信号Ｓ２と各種アクチュエータ停止信号Ｓ３を出力する。３は各種アクチュエータ駆動部、４は各種アクチュエータ駆動部３で動作制御される各種アクチュエータであり、図には、ファンモータ４１、風向羽根４２、パワーリレー４３、ＬＥＤあるいは液晶パネル等からなる表示部４４等を示す。５はＤＣ−ＤＣコンバータ、７は整流回路、８はＡＣ電源、９はレギュレータＩＣである。
【００１４】
次に動作を説明すると、瞬時停電検知部１において、ＡＣ電源８の供給が無くなったことを検知すると、制御用マイコン２に瞬時停電発生信号Ｓ１を送る。瞬時停電発生信号Ｓ１を受信した制御用マイコン２は各種アクチュエータ駆動部３に停止信号Ｓ３を送り、各種アクチュエータ４を停止させる。また表示部４４には瞬時停電中であることをユーザに知らせる。さらに、ＤＣ−ＤＣコンバータ５に制御用マイコン２から出力電圧低下信号Ｓ２を送り、ＤＣ−ＤＣコンバータ５の出力電圧を一定値に低下させる。これによりＤＣ−ＤＣコンバータ５で消費される電力が低減でき、ＤＣ−ＤＣコンバータ５の出力電圧が、制御用マイコン２の駆動に必要な電圧まで低下する時間が長くなる。その結果、瞬時停電時間が長くても再起動が可能となる。なお、瞬時停電中は制御用マイコン２の電源や瞬時停電検知部１の電源は動作を維持するよう構成されていることは勿論である。
【００１５】
（実施の形態２）
図２は本発明の実施の形態２における空気調和機の制御装置の構成を示すブロック図である。図２において、６は制御用マイコン２からの電源遮断信号Ｓ５にて動作する電源遮断部であり、その他、前記実施の形態１の図１と同じ機能のブロックに同じ符号を付し、その説明を省略する。これは、瞬時停電発生時に制御用マイコン２から出力される電源遮断信号Ｓ５により電源遮断部６が動作して各種アクチュエータ４を駆動するための電源を遮断する。
【００１６】
そして、瞬時停電時に各種アクチュエータ４には全く電流が流れなくすることができる。
【００１７】
【発明の効果】
以上説明したように、請求項１記載の発明は、瞬時停電時にＤＣ−ＤＣコンバータの出力電圧を一定電圧まで低下させることにより、瞬時停電中にＤＣ−ＤＣコンバータで消費される電力が低減でき、ＤＣ−ＤＣコンバータの出力電圧が、制御用マイコンの駆動に必要な電圧まで低下する時間が長くなる。その結果、瞬時停電時間が長くても再起動が可能となる効果を奏する。
【００１８】
請求項２記載の発明は、瞬時停電時において、各種アクチュエータの電源を遮断することにより、瞬時停電中に各種アクチュエータには電流が流れず、ＤＣ−ＤＣコンバータの出力電圧が、制御用マイコンの駆動に必要な電圧まで低下する時間が長くなる。その結果、瞬時停電時間が長くても再起動が可能となる効果を奏する。
【００１９】
請求項３記載の発明は、瞬時停電時において、制御用マイコン駆動用電源と瞬時停電検知部の電源以外を遮断することにより、瞬時停電中には、前記制御用マイコンと瞬時停電検知部以外には電流が流れないため、ＤＣ−ＤＣコンバータの出力電圧が、制御用マイコンの駆動に必要な電圧まで低下する時間が長くなる。その結果、瞬時停電時間が長くても再起動が可能となる効果を奏する。
【００２０】
請求項４記載の発明は、瞬時停電復帰後、各種アクチュエータが再起動するまでの一定時間の停止中に、電源表示部に瞬時停電により停止していることを表示することで、ユーザが、瞬時停電が発生したために停止していることを知らせることが出来るという効果を奏する。
【図面の簡単な説明】
【図１】本発明の実施の形態１における空気調和機の制御装置の構成を示すブロック図
【図２】本発明の実施の形態２における空気調和機の制御装置の構成を示すブロック図
【符号の説明】
１  瞬時停電検知部
２  制御用マイコン
３  各種アクチュエータ駆動部
４  各種アクチュエータ
５  ＤＣ−ＤＣコンバータ
６  電源遮断部
【図１】
0003559825.tif 000002
【図２】
0003559825.tif 000003